(57)【特許請求の範囲】
【請求項１】
核燃料アセンブリ（１４）用の貯蔵ラック（１）であって、
前記ラックの縦方向（１０）に平行に延びる複数の隣り合うセル（４）を規定する剛構造（２）を含み、前記ラックは、また、少なくとも幾つかの前記セルに、前記縦方向に平行に延びるキャビティ（１８）を規定するとともに核燃料アセンブリを収容するスリーブ（１６）を含み、前記スリーブ（１６）が、前記縦方向に直交する断面において、一般的な多角形形状を有し、少なくとも幾つかのその辺が、中性子吸収材料から作られたプレート（３０）を含み、
前記スリーブ（１６）は、また、
−それぞれがコーナー部品を形成し、互いに間隔を隔て、前記縦方向に平行に延び、前記一般的な多角形断面の少なくとも幾つかの隅に配置される角側面（２２）であって、前記角側面は、前記中性子吸収プレート（３０）の取り付けブラケットとして機能し、前記キャビティ（１８）を規定して核燃料アセンブリが前記キャビティ（１８）に積み込まれる際に核燃料アセンブリをガイド可能とする内面（２６）と、前記内面（２６）と反対側で、前記中性子吸収プレート（３０）を保持する外面（２８）とを有する角側面、
−前記角側面（２２）を保持する複数の保持構造（３６）であって、前記保持構造（３６）は、多角形断面の少なくとも幾つかの隅に配置される前記角側面（２２）を囲んで前記角側面（２２）を保持するとともに、前記縦方向（１０）において互いに間隔を隔てて複数設けられ、前記ラック（１）の前記セル（４）において前記スリーブ（１６）の中央配置を保証する保持構造、
を含むことを特徴とする。
【請求項２】
前記保持構造（３６）が、前記角側面（２２）の前記外面（２８）に保持固定され、少なくとも一つの前記プレート（３０）が、少なくとも一つの前記保持構造（３６）のいずれかの辺で、前記縦方向（１０）に延び、前記保持構造（３６）に形成される前記プレート（３０）を収容するための凹部（４４）を通過すること、
を特徴とする請求項１に記載のラック（１）。
【請求項３】
各プレート（３０）は、前記縦方向（１０）において、前記角側面（２２）の長さと実質的に等しい長さを有すること、
を特徴とする請求項２に記載のラック（１）。
【請求項４】
前記スリーブ（１６）の各面は、中性子吸収材料から作られ、前記縦方向（１０）で隣り合う、複数のプレート（３０）を有すること、
を特徴とする請求項１に記載のラック（１）。
【請求項５】
各プレート（３０）が、前記縦方向（１０）において隣り合う２つの保持構造（３６）の間で延び、これらの保持構造（３６）が、前記縦方向（１０）において、前記プレート（３０）のストッパーを形成すること、
を特徴とする請求項４に記載のラック（１）。
【請求項６】
各保持構造（３６）が、前記縦方向（１０）に実質的に直交する面に配置されること、
を特徴とする請求項１〜５のいずれか１項に記載のラック。
【請求項７】
各角側面（２２）が、前記縦方向（１０）に直交する断面で、LまたはV形状を採ること、
を特徴とする請求項１〜６のいずれか１項に記載のラック（１）。
【請求項８】
各プレート（３０）が、炭化ホウ素を含む金属マトリクス合成材料から作られること、
を特徴とする請求項１〜７のいずれか１項に記載のラック（１）。
【請求項９】
各プレート（３０）が、前記角側面（２２）に備えられた保持タブ（３４）を用いて、２つの隣り合う角側面（２２）に取り付けられること、
を特徴とする請求項１〜８のいずれか１項に記載のラック（１）。
【請求項１０】
各プレート（３０）の幅（L3）は、それが一部分を形成する前記スリーブ（１６）の面の幅（L1）より小さいこと、
を特徴とする請求項１〜９のいずれか１項に記載のラック（１）。
【発明の詳細な説明】
【技術分野】
【０００１】
本発明は、概して、未使用の核燃料アセンブリ、または原子炉で既に使用された核燃料アセンブリ用の貯蔵ラックの分野に関する。
【０００２】
本発明は、全てのタイプの核燃料アセンブリの貯蔵、特に、加圧水型原子炉（PWR）用のものに適用可能である。
【背景技術】
【０００３】
核燃料アセンブリが貯蔵される必要がある場合、それらは一般に貯水槽に沈められた貯蔵ラックに置かれる。このラックは、通常、複数のキャビティまたは“セル”を規定し、互いに平行で、貯水槽に沈められた場合にラックが垂直に配向される、剛構造または“骨組み”を有する。これらのセルの少なくとも幾つかは、核燃料アセンブリを収容するキャビティを規定するスリーブを収容する。核燃料アセンブリが積み込まれた場合の未臨界を確約しつつ、各セル間の距離をできる限り縮小し、これによりラックの貯蔵容量を増大するために、このスリーブは、特許文献１に記載されているように、中性子吸収力を有する。これを行うために、ホウ素入りステンレス鋼等の、いわゆる“中性子吸収材料”で作られたプレートが用いられる。また、剛構造とそれに関連するスリーブとの間に、中性子吸収材料と共に臨界の危険性を回避可能とする、ウォーターブレードが存在する。
【０００４】
従来、セル、スリーブ、および核燃料アセンブリは、通常は正方形で、より一般的には多角形の、同一の一般的な断面形状を有する。
【０００５】
特許文献１では、スリーブのデザインは、比較的単純であるが、燃料アセンブリが中性子吸収材料から作られたプレートに直接接触することを考慮すると、問題がある。この状況は、キャビティにおいてアセンブリを積み込みおよび積み下ろす作業中に、中性子吸収プレートの施条損傷の重大なリスクをもたらす。
【０００６】
さらに、中性子吸収プレートのエッジは、適切な位置に確実に保持されるように、鋸歯状である必要がある。直線的エッジのプレートに比べて、これらの鋸歯は、経済基準に完全に適合し得ない、付加的な製造およびチェック工程を要する。
【０００７】
特許文献２においても、セルの中にスリーブが挿入される。それでもなお、その文献に示される概念は、実質的にスリーブの製造を困難にするシート間の閉じ込めを必要とする、中性子吸収材料を用いる欠点を有する。
【０００８】
特許文献３では、スリーブは透かし管により形成され、中性子吸収プレートは透かし部分に配置される。そして、管を形成する壁の厚みは、中性子吸収プレートのものと少なくとも等しい必要があり、厚みの最適化と、従って、質量基準への適合ができない。さらに、管は、透かし部位において中性子吸収プレートを収容するために、費用のかかる機械加工作業を用いて作られる。最後に、中性子吸収プレートは、管の角側面を適切な位置に保つ部品で厚みの数倍に少なくとも等しい長さに亘って途切れ、これは、隣り合う燃料アセンブリ間の中性子相互作用を促進することによる臨界の観点から、スリーブの性能に不利である。
【発明の概要】
【発明が解決しようとする課題】
【０００９】
従って、本発明は、従来技術の実施形態に関する上記欠点を少なくとも部分的に解決することを目的としている。より具体的には、本発明は、高い機械的強度と、小さい全体質量と、製造および組み立てが容易なデザインとを同時に提供する、核燃料アセンブリ用の貯蔵ラックを提供することを目的としている。
【課題を解決するための手段】
【００１０】
これを行うために、本発明は、核燃料アセンブリ用の貯蔵ラックであって、ラックの縦方向に平行に延びる複数の隣り合うセルを規定する剛構造を含み、前記ラックは、また、少なくとも幾つかの前記セル、および好ましくは各セルに、前記縦方向に平行に延びるキャビティを規定するとともに核燃料アセンブリを収容するスリーブを含み、前記スリーブが、前記縦方向に直交する断面において、一般的な多角形形状を有し、少なくとも幾つかのその辺、および好ましくはその全てに、中性子吸収材料から作られたプレートが備えられるラックに関する。本発明によれば、前記スリーブは、また、
−それぞれがコーナー部品を形成し、互いに間隔を隔て、前記縦方向に平行に延び、前記一般的な多角形断面の少なくとも幾つかの隅に配置される角側面（profile）であって、前記角側面は、前記中性子吸収プレートの取り付けブラケットとして機能し、前記キャビティを規定して核燃料アセンブリが前記キャビティに積み込まれる際に核燃料アセンブリをガイド可能とする内面と、前記内面と反対側で、前記中性子吸収プレートを保持する外面とを有する角側面、
−前記角側面を保持する複数の保持構造であって、前記保持構造は、多角形断面の少なくとも幾つかの隅に配置される前記角側面を囲んで前記角側面を保持するとともに、前記縦方向において互いに間隔を隔てて複数設けられ、前記ラックの前記セルにおいて前記スリーブの中央配置を保証する保持構造、
を含む。
【００１１】
従って、提案される解決策は、特にそれぞれがコーナーを形成する角側面の存在によって、小さい全体質量、製造および組み立てが容易なデザイン、および高い機械的強度を一度に得ることを可能とする利点を有する。また、角側面の内面は、従って、核燃料アセンブリのキャビティへの積み込み時および積み下ろし時のガイドを可能とし、とりわけそのような作業中におけるアセンブリと中性子吸収プレートとの接触を防止する。従って、互いに間隔を隔てた角側面のみによってガイドができる限り慎重に行われることに加え、アセンブリの積み込みおよび積み下ろし中でのプレートの施条による損傷の危険性がなくなり、スリーブに関する質量基準をも満たす利点を有する。また、保持構造が角側面を囲むことで、角側面を互いに関連して極めて正確に配置することが可能となり、これにより、キャビティの完全に制御された形状を確保する。これらの部品の結合は、溶接により確実になされることが好ましいが、本発明の範囲を逸脱することなく、他の技術が検討されてもよい。
【００１２】
各保持構造は、前記一般的な多角形形状と実質的に等しい一般的形状を有することが好ましい。
【００１３】
各断面は、縦方向に直交する断面で、LまたはV形状を採ることが好ましい。各角側面は、実質的にスリーブの全長に亘って延び、スリーブは、好ましくは、収容されるラックのセルの全長に亘って実質的に延びることが好ましい。情報として、各スリーブは、一旦製造されると、セルに配置可能な一体型アセンブリの形態を採ることに留意されたい。
【００１４】
スリーブの全体剛性の増加に配慮して、各角側面は、金属であることが好ましく、ステンレス剛で作られることが好ましい。
【００１５】
各プレートは、ホウ素、好ましくは炭化ホウ素の形態を含む金属マトリクス合成（MMC）材料から作られることが好ましいが、ホウ酸アルミニウムまたはホウ素入りステンレス剛等の他の中性子吸収材料から作られてももちろんよい。
【００１６】
各プレートは、角側面に備えられた保持タブを用いて、２つの隣り合う角側面に取り付けられることが好ましい。このタブは、例えば溶接により、角側面に取り付けられ、または、前記角側面に孔を開けることにより得られる。従って、組み立て時に、プレートは前記角側面の外面と前記タブとの間に挿入することにより取り付け可能であり、この挿入は縦方向で行われることが好ましい。一般的に、このタブは、角側面とプレートとの間に遊びはあるものの、角側面に対してプレートを押し付け可能とするだけでなく、プレートの幅方向における並進運動ストッパーを形成する。
【００１７】
好ましい一実施形態によれば、前記スリーブの各面は、縦方向に沿って隣り合う、複数の中性子吸収プレートを有する。従って、この構造は、互いに連続して配置される複数のプレートが、スリーブの同一面の形成に関与するという意味では、分割されるものと考えられる。これは、プレートの製造、取り扱い、および取り付けを容易にし、完全な平面性を得ることが可能となる。また、分割構造は、中性子吸収が必要であり、スリーブの全長に亘っては連続する必要のないスリーブの位置にのみ、プレートを配置することを可能とする。とは言うものの、本発明の範囲を逸脱することなく、以下に詳細説明するように、スリーブの各面が１枚のみの同一の中性子吸収プレートを有する解決策が検討されてもよい。
【００１８】
分割構造の場合、各プレートは、縦方向において隣り合う２つの保持構造の間で延び、これらの構造が、同方向において、好ましくは双方向で、前記プレートのストッパーを形成することが好ましい。この場合、各プレートは、上述したように隣接状態であるように、それが間に配置される２つの保持構造を隔てる距離と実質的に等しい長さを有する。
【００１９】
また、各プレートは、プレートから離れて配置される保持構造に対するストッパーを含まずに、より短い長さを有してもよい。
【００２０】
どのような場合でも、この分割構造では、保持構造は、外面に接することにより角側面を囲み、縦方向に沿って分割するプレートを囲むことはない。
【００２１】
より好ましい実施形態によれば、前記保持構造は、前記角側面の外面に保持固定され、少なくとも一つの前記プレートが、少なくとも一つの前記保持構造のいずれかの辺で縦方向に延び、前記構造に形成される凹部を通過する。その結果、関連する各プレートは、押し付けられるコーナーの外面と、保持構造に形成される凹部との間に収容される。また、プレートは、縦方向において隣り合う複数の保持構造の凹部を通じて、移動可能である。これに関し、縦方向において角側面の全てまたは部分的な長さに亘って延びる１枚のプレートが、スリーブの各面に提供されることが好ましいことに留意されたい。
【００２２】
この実施形態は、製造に関し、特に、各面毎で、角側面とその保持構造との間に１枚のプレートの挿入のみを要する、という顕著な利点を有する。
【００２３】
また、この構造は、より良好な冷却用に、ラックの高さに亘る水の自然循環を可能とする。実際には、水は、プレートと角側面の保持構造に形成された凹部との間の遊びを容易に通過可能である。また、貯水槽が水で満たされた後に、ラック構造に取り残される気泡の存在を回避可能とし、それは、ラックが、確実に、臨界の観点から実質的に制御された構造であるように、必然的に回避される必要がある。
【００２４】
各プレートの幅は、それが一部分を形成するスリーブの面の幅より厳密に小さいことが好ましい。この特性は、スリーブの隅に位置する中性子吸収材料は、ラックのセルの対角線に沿って配置される２つのアセンブリ間の低い中性子相互作用を考えると、限定的な効果しかない、という所見から由来する。中性子吸収材料は特に高価であるので、スリーブの面の幅よりも厳密に小さいプレート幅を与える解決策は、その結果、一方では、経済基準への、他方では質量基準への適合の手助けとなり、また、核燃料が積み込まれる場合に、ラックの未臨界の維持を確実に行う。とは言うものの、プレートがスリーブの面のものと等しい幅を有する解決策も、検討可能である。
【００２５】
上述したように、互いに関連して前記角側面を保持する前記保持構造は、前記関連するスリーブが位置するラックの前記セルを規定する側面に位置する。
【００２６】
各保持構造は、縦方向に実質的に直交する面に配置されることが好ましい。
【００２７】
従って、これらの構造は、ラックのセルにおいて、スリーブの良好な中央配置を確実に行い、スリーブとスリーブを収容するラックのセルを規定する側面との間において、スリーブの全周囲でウォーターブレードの形成を可能にし、このブレードは、中性子吸収材料と組み合わされて、臨界の危険性の防止を可能とする。
【００２８】
最後に、前記一般的な多角形形状は、一般的な正方形形状または一般的な多角形形状であることが好ましいことに留意されたい。
【００２９】
本発明の他の利点および特徴は、以下の非限定的で詳細な説明で明らかになる。
【００３０】
本説明は、以下の添付図面に照らして行われる。
【図面の簡単な説明】
【００３１】
【図１】本発明の好ましい一実施形態による貯蔵ラックの部分的な分解斜視図を示す。
【図２】図１に示すラックに備えられるスリーブの部分的斜視図を示す。
【図３】中性子吸収プレートのメンテナンスタブからある距離を隔てて、および、それぞれがコーナーを形成する角側面の保持構造からある距離を隔てて通過する横断面に沿った、図２に示すスリーブの横断面図を示す。
【図４】中性子吸収プレートのメンテナンスタブを通過する横断面に沿った、図２に示すスリーブの他の横断面図を示す。
【図５】角側面の保持構造を通過する横断面に沿った、図２に示すスリーブの他の横断面図を示す。
【図６】本発明のより好ましい実施形態の形状をとる貯蔵ラックを備えた、図５のものと同様の図を示す。
【図７】図６に示すスリーブの斜視図を示す。
【発明を実施するための形態】
【００３２】
まず、図１を参照すると、未使用の核燃料アセンブリ、または原子炉で既に使用された核燃料アセンブリ用の貯蔵ラック１が示されており、このラック１は、貯水槽に沈められるように意図されている。
【００３３】
この図は、ラック１が、まず、互いに平行な複数のキャビティまたは“セル”４と、ラック１が貯水槽に沈められる場合垂直に配向される軸６とを規定する、剛構造または“骨組み”２を有し、貯水槽の底に置かれる構造２の底部８を備えることを示している。従って、図に示す姿勢では、ラック１の縦方向１０と平行な軸６は、垂直に配置される。
【００３４】
通常数ダース等多数備えられるセル４は、メインシートを互いに平行に提供し、それに直交して配置される桟シートにより区切られるような、当業者に自明な方法で得ることができる。これは、本発明の好ましい実施形態に対応して、それぞれが、側面１２により区切られ、横断面、すなわち、縦方向１０に直交する断面で、一般的な正方形形状を有する、実質的にシリンダー形状のセル４をもたらす。とは言うものの、他の多角形形状も当然可能であることに留意されたい。
【００３５】
一般的に、セル４の一つに対して図１に図示されるような、各燃料アセンブリ１４の積み込みおよび積み下ろし用にセル４が上部で開放されているこの剛構造２は、ステンレス鋼で作られている。
【００３６】
とは言うものの、燃料アセンブリ１４は、関連するセル４に直接導入されない。実際には、アセンブリ１４を収容する各セル４に対して、中性子吸収アセンブリも前記セル４に配置され、前記アセンブリはスリーブ１６の形態を取り、図１においてその一つが意図的かつ部分的にセル４から抽出されている。従って、各スリーブ１６は、核燃料アセンブリ１４を収容するキャビティ１８を有し、実質的にシリンダー形状の前記キャビティ１８は、横断面で正方形形状を有するのが好ましい。また、前記キャビティ１８の軸は、関連するセルの軸６と併用され、前記軸６もアセンブリ１４がキャビティ１８に配置された場合にアセンブリ１４の軸２０と併用される。
【００３７】
各セル４には中性子吸収スリーブ１６が備えられることが好ましいが、本発明の範囲を逸脱することなく異なってもよい。また、セル４、関連するスリーブ１６、およびスリーブ１６のキャビティ１８の縦方向１０に沿う長さは、実質的に同一である、すなわち、貯蔵される核燃料アセンブリ１４の長さと同じオーダーであることが好ましいことが示唆される。
【００３８】
ここで、図２から図５を参照すると、スリーブ１６の一つのデザインが記載されており、スリーブ１６は全て同一または類似デザインであるとういうことを理解されたい。
【００３９】
まず、スリーブ１６は、図３に示すように、横断面において、一般的な正方形形状を有することが好ましいことが示唆される。その結果、この横断面は、図２に示すスリーブ１６の４つの取付け面にそれぞれ対応する４つの取付け辺を有する。
【００４０】
スリーブ１６は、一般的な正方形形状断面の４隅のそれぞれにおいて、コーナーを形成する角側面２２を有する。縦方向１０に平行に配置されるこれら４つの角側面２２は、それぞれスリーブ１６の全長に亘って延びることが好ましい。それでもなお、図２に示すように、スリーブ１６と一体化したファンネル２４を形成するアセンブリは、燃料アセンブリがキャビティ１８に積み込まれた場合に燃料アセンブリの中央配置を促進するように、角側面２２の上端に突出して配置される。そして、このファンネル２４は、キャビティ１８の最上端を形成する拡大された上端を有し、関連するセル４の側面１２に接触するようになっている。
【００４１】
ステンレス鋼で作られる角側面２２は、２つのアームを備え、両アームが好ましくは同じ長さの、L形状の断面を有する。
【００４２】
各角側面２２は、キャビティ１８を規定する内面２６を有し、それに対応する前記L形状表面は、スリーブ１６の内側に向かって配置される。また、各角側面２２は、内面２６とは反対側の外面２８を有し、前記L形状表面は、隣り合うセルに向かって配置される。
【００４３】
外面２８は、以下に記載するように、中性子吸収材料から作られたプレート３０を保持するように備えられる。実際には、一般的な正方形形状断面の各辺が、中性子吸収プレート３０を用いて作られ、好ましくは、ホウ素を含む金属マトリクス複合材料から作られるが、代わりに、ホウ酸アルミニウムまたはホウ素入りステンレス鋼等の他の中性子吸収材料から作ることも可能である。
【００４４】
上述したように、プレート３０は、角側面２２の外面２８に保持され、好ましくは前記面２８に直接接する。従って、燃料アセンブリ１４の積み込みおよび積み下ろしの際のガイドは、各コーナーを形成する角側面２２のみによって、より具体的にはその内面２６によって、慎重に行われる。また一方、プレート３０の内面は、従って、図３に図示するように、プレート３０の内面とアセンブリ１４の側壁との間の隙間３２により、これらの作業と貯蔵中に、アセンブリ１４と接触しない。その結果、アセンブリ１４の積み込みおよび積み下ろし中のプレート３０の施条による損傷の危険性が無効となる利点を有する。
【００４５】
図３は、断面の一辺の幅L1を示し、従って、各辺は、角側面２２の第一のアームと、プレート３０と、隣り合う角側面２２に属し、前記第一のアームと同じ平面に位置する第二のアームとからできており、プレート３０は第一および第二のアームそれぞれに保持されていることを理解されたい。この断面の一辺の幅L1は、明らかにその辺に対応するスリーブ面の幅と見なされる。アームL2の幅も示されており、前記幅が好ましくは上述したアームの双方で一致する。最後に、プレート３０の幅L3が示されている。
【００４６】
好ましくは、寸法は以下の関係を満たすように選択される。
（i）：0.1 < L2/L1 < 0.4；より好ましくは、（i'）：0.05 < L2/L1 < 0.25；お
よび、（ii）：0.75 < L3/L1 < 1
【００４７】
関係（i）および（i'）は、断面の辺それぞれに適用されることが好ましく、隣り合
う角側面２２の間の実質的な間隔を意味し、関係（ii）は、スリーブ１６の面の全幅に亘
って中性子吸収プレートを備える必要がないことを示すとともに、各プレート３０が関連する辺で中心にあることが好ましいことも述べている。
【００４８】
図２に示すように、スリーブ１６の同一面は、縦方向１０に沿って隣り合う複数のプレート３０で作られることが好ましく、詳細を後述するように、互いに間隔を隔てることが好ましい。この縦方向に沿ったいわゆる分割構造は、中性子吸収が必要であり、スリーブ１６の全長に亘っては連続する必要のないスリーブ１６の位置にのみ、中性子吸収プレート３０を配置することを可能とする。例えば、図２において、スリーブ１６の面の上部はこのようなプレート３０を有さず、この面の下部と、潜在的にこの同一面の他の部位に対しても、同じことが当てはまる。
【００４９】
図２および図４に示すように、各プレート３０は、前記角側面に孔を開けて得られる、あるいは例えば溶接により角側面に固定される保持タブ３４を好ましくは用いて、２つの隣り合う角側面２２に取り付けられる。そして、各タブ３４は、関連する角側面２２の外面２８と共に、保持されるプレート３０の縦エッジが収容されるノッチを規定する。従って、組み立て時に、プレート３０は前記角側面の外面とタブとの間に挿入することより取り付け可能であり、この挿入は縦方向で行われることが好ましい。このタブ３４は、関連するプレート３０の２つの対向する縦エッジと協働して、角側面２２に対してプレート３０を押し付け可能とするだけでなく、プレート３０の幅方向、すなわち、前記プレート３０の面における縦方向１０と直交する方向における、双方向での並進運動ストッパーを形成する。
【００５０】
また、タブ３４をきつくして、前記タブ３４と角側面の外面２８との間でプレート３０の強力なグリップを得ることができ、従って、縦方向１０において前記プレート３０を確実にロックする。
【００５１】
とは言うものの、角側面２２に対し、プレート３０を縦方向においてロックするために、角側面を互いに関連して保持する保持構造３６に対して前記プレート３０を隣接させる解決法が選択されることが好ましい。この保持構造３６が、図２および図５を参照して、以下、より具体的に記載される。
【００５２】
これらは、縦方向１０に直交する平面に配置され、それらが接する角側面２２を取り囲む、保持構造３６の形態をそれぞれ採る。従って、これらは、縦方向に沿って、互いに間隔を隔てている。
【００５３】
この保持構造３６と角側面２２との間の堅牢な機械的結合は、溶接により確保されることが好ましい。これは、角側面２２を互いに関連して極めて正確に配置することを可能とし、これにより、キャビティ１８の完全に制御された形状を確保する。
【００５４】
図２および図５に示すように、好ましくはステンレス剛から作られる保持構造３６は、スリーブ１６の横断面形状、すなわち一般的な正方形形状と実質的に等しい一般的形状をそれぞれ有する。その結果、各保持構造３６は、その隅が実質的に補完的形状を有する角側面２２を内側に収容するフレームのようなものであり、角側面２２の外面２８と保持構造３６の内側との間での直接接触が、保持構造３６の隅でもたらされる。保持構造３６は、溶接により角側面２２に固定されることが好ましい。
【００５５】
スリーブ１６の面が分割される好ましい実施形態では、同一面での各プレート３０は、縦方向１０において隣り合う２つの保持構造３６間に延在し、この２つの保持構造３６は、同方向または双方向において、それぞれ、プレート３０のストッパーをそれぞれ形成する。これを行うために、各プレート３０は、プレート３０が間に配置される２つの保持構造３６を隔てる距離と実質的に等しい長さを有する。
【００５６】
プレート３０の上部および下部端に接する保持構造３６は、セル４においてスリーブ１６の中央配置を保証するように備えられ、アセンブリ１４の遊びは、保持構造３６の周囲とセル４を規定する側面１２との間にのみ保たれている。そして、保持構造３６は、２つの隣り合う保持構造３６により縦方向で区切られ、スリーブ１６の面と前記スリーブ１６を収容するセル４を規定する側面１２とにより横方向で区切られる、図３における符号４０の空間において、スリーブ１６の全周囲にウォーターブレードを形成する交差部品を形成する。
【００５７】
最後に、保持構造３６は、角側面２２を囲むが、プレート３０を囲まないことに留意されたい。
【００５８】
情報の一例として、関連するセル４に導入されるそのようなスリーブ１６の製造は、“ステージ”による製造で構成され、事前に配置された角側面の周囲での第一の保持構造３６の配置と、前記第一の保持構造３６の角側面２２への固定と、タブ３４により規定されるノッチへの挿入によるスリーブ１６の関連ステージを横方向に閉じる４つのプレート３０の取り付けと、上述したプレート３０上方における角側面２２の周りでの第二の保持構造３６の配置等、で構成される。
【００５９】
図６および図７に示すさらに好ましい実施形態によれば、１枚のプレート３０がスリーブ１６の各面に備えられ、プレート３０の長さは、アセンブリ１４の活性部位のものと実質的に等しい。従って、この構造は、角側面２２の外面２８に接するこの保持構造３６を貫通する経路用に、内側エッジに、凹部４４を備えている。従って、保持構造３６の４辺のそれぞれに４つの凹部４４がそれぞれ備えられ、従って、前記凹部４４のそれぞれは、関連する保持構造３６の各辺で縦方向に延びるプレート３０を収容する。
【００６０】
この構造は、角側面２２と保持構造３６との間の凹部４４を通じてプレート３０を挿入し、それらを角側面２２の外面に固定することにより得られる。従って、凹部４４の深度は、水および気泡がこの保持構造３６の各面を容易に通過するように、プレート３０と保持構造３６との間に遊びを得ることを可能とする。スリーブ１６の各面に１枚のプレート３０を有することは、中性子吸収プレート間の縦方向の分断をなくすことにより、中性子効果を強化することができる。
【００６１】
ラックの他の特徴は、図１から図５を参照して記載されるものに対して変わることなく存在する。
【００６２】
当然、当業者により、単に非限定的な例として記載された本発明に対して、様々な変更がなされ得る。
【先行技術文献】
【特許文献】
【０００６】
【特許文献１】FR 2 759 484
【特許文献２】EP 0 175 140 A1
【特許文献３】JP 05 040195 A
【図１】
0005616885.tif 000002
【図２】
0005616885.tif 000003
【図３】
0005616885.tif 000004
【図４】
0005616885.tif 000005
【図５】
0005616885.tif 000006
【図６】
0005616885.tif 000007
【図７】
0005616885.tif 000008